(57)【特許請求の範囲】
【請求項１】
屋根芯材と、それを支持する梁とを緊結する緊結金物であって、
両腕部と底辺部とを有し、前記梁の周囲を下方から包み、吊り下げ状態で保持する抱持部材と、
前記抱持部材の両端に位置し、前記屋根芯材に取り付け固定される固定部材と、
前記抱持部材の前記両腕部の上端対応位置に位置し、前記梁と前記抱持部材の前記底辺部とを密着状態に維持して前記梁の上端に係合される係合部材とを有し、
前記係合部材は、前記両腕部の内面より内側に向けて突出形成され、
前記係合部材の上部には、斜め下方に向けて傾斜または湾曲する案内部が形成され、
前記案内部は前記梁と接触して、前記係合部材を係合位置まで案内することを特徴とする緊結金物。
【請求項２】
請求項１において、
前記係合部材は、前記両腕部の一部を切り起こして内側に突出させて形成されていることを特徴とする緊結金物。
【発明の詳細な説明】
【０００１】
【発明の属する技術分野】
本発明は、屋根芯材と梁とを緊結する緊結金物、特に、梁に密着状態で係合する機構を有する緊結金物に関する。
【０００２】
【背景技術】
従来、図９（Ａ）および図９（Ｂ）に示すような緊結金物５０すなわち梁金物が、屋根芯材３０と梁５２とを緊結し、風圧による屋根の吹き上げ等を防止するために使われてきた。
【０００３】
この緊結金物５０は、これらの図からわかるように、Ｕ字状の形状で、その両端部に釘穴５４を有し、Ｕ字状の部分が梁５２を包み込むようにして梁５２を吊り下げ保持した状態で、その両端部を屋根芯材３０にスクリュー釘等を用いて固定することによって、梁５２と屋根芯材３０とを緊結する。
【０００４】
【発明が解決しようとする課題】
ところで、上述のような緊結金物を用いて、屋根芯材と梁とを緊結する際には、緊結金物を梁の周囲に掛け渡して、緊結金物と梁との間に隙間が生じて屋根の吹き上げ防止等の機能に影響しないように緊結金物と梁との間の密着性を保ちながら、両端部の釘穴を屋根芯材上に位置決めしてスクリュー釘等により固定する必要がある。この作業は、高所において仰向けの姿勢で、緊結金物が落下しないように押さえながら行われるものであり、しかも緊結金物と梁との間に隙間が生じないように施工する必要があるため、作業性が悪かった。
【０００５】
このような問題点に鑑み、本発明の目的は、緊結金物と梁との間に隙間を生ずることなく、容易で信頼性の高い施工を可能とする緊結金物を提供することにある。
【０００６】
本発明の他の目的は、屋根芯材と梁との緊結作業を簡素化し、作業性を改善することにある。
【０００７】
【課題を解決するための手段】
請求項１の発明に係る緊結金物は、
屋根芯材と、それを支持する梁とを緊結する緊結金物であって、
両腕部と底辺部とを有し、前記梁の周囲を下方から包み、吊り下げ状態で保持する抱持部材と、
前記抱持部材の両端に位置し、前記屋根芯材に取り付け固定される固定部材と、
前記抱持部材の前記両腕部の上端対応位置に位置し、前記梁と前記抱持部材の前記底辺部とを密着状態に維持して前記梁の上端に係合される係合部材とを有し、
前記係合部材は、前記両腕部の内面より内側に向けて突出形成され、
前記係合部材の上部には、斜め下方に向けて傾斜または湾曲する案内部が形成され、
前記案内部は前記梁と接触して、前記係合部材を係合位置まで案内することを特徴とする。
【０００８】
【０００９】
【００１０】
請求項１の発明によれば、屋根芯材と梁との緊結金物を用いた緊結において、梁の下面と緊結金物との間に隙間なく、梁と緊結金物とを予め仮止めすることができ、その状態を保って屋根芯材と梁とを緊結金物によって緊結することができるため、屋根芯材と梁との間に隙間を生ずることなく、それらを緊結することができる。したがって、屋根芯材と梁との間の密着性を確実に保つことができ、屋根の吹き上げ防止等の機能を十分に発揮することができる。また、屋根芯材と梁との緊結作業を簡素化し、その作業性を改善することができる。
【００１１】
【００１２】
【００１３】
ここで、前記屋根芯材は、梁に対して直交し、梁によって保持される屋根用芯材を意味し、例えば、パネル工法にあっては屋根パネルの一構成要素である縦芯材であり、在来工法にあっては垂木である。また、前記梁は、屋根用芯材を受ける鋼製または木製の桁を意味し、パネル工法にあっては屋根梁であり、在来工法にあっては母屋桁、軒桁、および棟木である。
【００１４】
【００１５】
また、その係合部材に案内部を有するため、緊結金物を梁に沿って押し上げるだけで、その両腕部に位置する係合部材を梁上部の外縁部に係合できるようになっている。このため、緊結金物は、梁へ仮止めされる位置まで、梁に沿ってスムースに案内される。したがって、作業者が抱持部材を押し広げたりする必要がなく、良好な作業性を提供できる。
【００１６】
請求項２は、請求項１の発明に係る緊結金物において、
前記係合部材は、前記両腕部の一部を切り起こして内側に突出させて形成されていることを特徴とする緊結金物の発明を定義している。
【００１７】
請求項２の発明に係る緊結金物によれば、別材料を要することなく前記係合部材を形成することができる。
【００１８】
【００１９】
【００２０】
【００２１】
【００２２】
【発明の実施の形態】
以下、本発明の好適な実施例について、図面を参照しながら詳細に説明する。
【００２３】
本実施例の緊結金物を図３に斜視図として示す。また、本実施例の緊結金物２８を用いて梁２６と屋根芯材３０とを緊結した状態を図１に断面図として示し、図２には屋根の一部を切り欠いた斜視図として示す。また、図４は、その状態における係合部材１８付近を、緊結金物２８の内側方向から見た拡大斜視図である。
【００２４】
これらの図に示すように、本実施例の緊結金物２８は、屋根芯材３０と、それを支持する梁２６とを緊結して、屋根芯材３０を含む屋根材の風圧などによる吹き上げを防止するものである。
【００２５】
本実施例の緊結金物２８は、図３に示すように、Ｕ字型の抱持部材２２と、屋根芯材３０に釘穴３６を介してスクリュー釘１２等によって固定される固定部材１０と、抱持部材２２から内側に突出する係合部材１８とを含んで構成される。この緊結金物２８は、鉄、真鍮等の金属材料によって形成される。
【００２６】
抱持部材２２は、梁２６の下面と密着する底辺部２４と、底辺部２４の両端から垂直上方に伸びる一対の腕部２０とを含んで構成され、梁２６を下方から包み込んで保持する部分である。
【００２７】
固定部材１０は、抱持部材２２の両端から続き、釘穴３６を有し、その釘穴３６を通るスクリュー釘１２等によって屋根芯材３０に固定できる形状となっている。
【００２８】
係合部材１８は、図４に示すように、抱持部材２２の腕部２０から切り起こすことによって内方に突出しており、底辺部２４と梁２６とが密着すると、その位置で緊結金物２８が係合部材１８によって梁２６に仮止めされるようになっている。
【００２９】
ここで、図面を参照しながら、本実施例の緊結構造を工程順に説明する。
【００３０】
まず、図２および図１に示すように、水平方向に伸びるＨ形鋼の梁２６によって、屋根芯材３０が支えられるように屋根パネル７０を敷設する。なお、本実施例の屋根パネル７０は屋根芯材３０である縦芯材７２および横芯材７４を含んで形成される四角形の枠組みと、その片面に貼付された面材７６とを含んで構成される。また、梁２６と屋根芯材３０との間には、必要に応じて、結合材料１４を介在させる。なお、結合材料１４と梁２６とはスクリュー釘１６等を用いて結合させてもよい。
【００３１】
次に、下方から梁２６を包み込むようにして緊結金物２８を梁２６にはめ込み、抱持部材２２の底辺部２４を梁２６の下面に密着させる。すると、緊結金物２８の係合部材１８が梁２６上部の外縁部と係合され、抱持部材２２の底辺部２４と梁２６の下面との密着性が保たれた仮止め状態となる。
【００３２】
この状態で、緊結金物２８の固定部材１０を、その釘穴３６を通したスクリュー釘１２などによって屋根芯材３０に固定する。
【００３３】
このようにして、図２および図１に示したような、梁２６と屋根芯材３０との緊結構造が得られる。
【００３４】
したがって、本実施例の緊結金物２８を用いた緊結方法によれば、梁２６の下面と緊結金物２８との間に隙間なく、梁２６と緊結金物２８とを予め仮止めすることができ、その状態を保って緊結金物２８と屋根芯材３０とを緊結することができる。その結果、屋根芯材３０と梁２６との間の密着性を確実に保つことができ、屋根の吹き上げ防止等の機能を十分に発揮する緊結構造を得ることができる。また、緊結金物２８を屋根芯材３０にスクリュー釘等によって固定する際には、緊結金物２８は梁２６に仮止めされているため、釘打時に緊結金物２８を手で押さえておく必要がなく、屋根芯材３０と梁２６との緊結作業が簡素化され、作業性が改善できるとともに、その作業を熟練者でなくとも可能なものとすることができる。
【００３５】
なお、図４に示すように、本実施例の緊結金物２８の係合部材１８の上部は下方に向かうほど内側への突出量が滑らかに増加する形状すなわち傾斜形状または湾曲形状の案内部３８となっており、緊結金物２８を梁２６に沿って押し上げるだけで、その両腕部２０に位置する係合部材１８を梁２６上部の外縁部に係合できるようになっている。このため、緊結金物２８は、梁２６へ仮止めされる位置まで、梁２６に沿ってスムースに案内される。したがって、作業者が抱持部材２２を押し広げたりする必要がなく、作業性が良い。
【００３６】
なお、本発明は前述した各実施例に限定されるものではなく、本発明の要旨の範囲内または特許請求の範囲の均等範囲内で各種の変形実施が可能である。
【００３７】
例えば、係合部材の形状は、必ずしも図４に示したような、両端部が腕部２０と連続した切り起こしによるものでなくともよい。すなわち、図５に示したように、下方の一端が自由端となるように切り起こし、その自由端の端部が梁２６上部の外縁部と係合するようになっており、案内部３８を有する係合部材４０でもよい。また、図６（Ａ）および図６（Ｂ）に斜視図および縦断面図として示したように、腕部２０の外面３４から内面３２に向けて打ち出したタイプで、案内部３８を有する係合部材４２でもよい。さらに、係合部材は腕部２０と一体となったものでなくともよく、例えば腕部２０に設けた切欠部に別部材をはめ込むようにしてもよい。これらの場合も、前述の形状の係合部材１８の場合と同様に、緊結金物２８は、梁２６へ仮止めされる位置まで、作業者が抱持部材２２を押し広げたりする必要なしで、梁２６に沿ってスムースに案内される。また、緊結金物２８は、その底辺部２４が、梁２６に密着した位置で、梁２６に仮止めできることも前記実施例の場合と同様である。
【００３８】
また、係合部材１８，４０，４２を設ける代わりに、図７に示すように、抱持部材２２の底辺部２４の上面を接着面４４とし、その接着面４４と梁２６下面の所定位置とを接合することによって、梁２６を下部から包み込む状態で緊結金物４６を梁２６に仮止めし、その後、緊結金物４６の固定部材１０を屋根芯材３０にスクリュー釘１２等によって固定するようにしてもよい。この場合も、前述の実施例の場合と同様に、梁２６の下面と緊結金物４６との間に隙間なく、梁２６と緊結金物４６とを予め仮止めすることができ、その状態を保ってと屋根芯材３０と梁２６とを緊結金物４６によって緊結することができる。
【００３９】
さらに、係合部材１８，４０，４２や接着面４４を設ける代わりに、図８（Ａ）および（Ｂ）に正面図として示すように、緊結金物８０の抱持部材２２を帯材を屈曲させることによって、緊結金物８０が単体の状態では、その抱持部材２２の上部が梁２６の幅より狭くなるように形成し（図８（Ａ））、その弾性によって梁２６に仮止め（図８（Ｂ））できるようにしてもよい。これによって、緊結金物８０を梁２６に仮止めした状態で、緊結金物８０の固定部材１０を屋根芯材３０にスクリュー釘１２等によって固定することができる。この場合も、前述の実施例の場合と同様に、梁２６の下面と緊結金物８０との間に隙間なく、梁２６と緊結金物８０とを予め仮止めすることができ、その状態を保って屋根芯材３０と梁２６とを緊結金物８０によって緊結することができる。
【００４０】
さらにまた、上記実施例では、梁２６としてＨ形鋼を用いた例を示したが、他の断面構造の鋼製あるいは木製の梁であってもよい。
【００４１】
また、上記実施例ではパネル工法に本発明を適用した場合を示したが、本発明は、在来工法例えば軸組工法の場合にも適用できる。なお、梁２６に対して直交し、梁２６によって保持される屋根芯材３０は、軸組工法にあっては垂木に相当する。そして、屋根用芯材を受ける鋼製または木製の桁である梁２６は軸組工法にあっては母屋桁、軒桁、および棟木に相当する。
【００４２】
【発明の効果】
本発明によれば、屋根芯材と梁との緊結金物を用いた緊結において、梁の下面と緊結金物との間に隙間なく、梁と緊結金物とを予め仮止めすることができ、その状態を保って緊結金物と屋根芯材とを緊結することができるため、屋根芯材と梁との間に隙間を生ずることなく、それらを緊結することができる。したがって、屋根芯材と梁との間の密着性を確実に保つことができ、屋根の吹き上げ防止等の機能を十分に発揮することができる。また、屋根芯材と梁との緊結作業を簡素化し、作業性を改善することができる。
【図面の簡単な説明】
【図１】  実施例の緊結金物を用いて梁と屋根芯材とを緊結した状態を示す断面図である。
【図２】  実施例の緊結金物を用いて梁と屋根芯材とを緊結した状態を示す斜視図である。
【図３】  実施例の緊結金物の斜視図である。
【図４】  実施例の緊結金物を用いて梁と屋根芯材とを緊結した状態を、緊結金物の内側方向から見た係合部材近傍の斜視図である。
【図５】  緊結金物の係合部材の一変形例を示す係合部材近傍の斜視図である。
【図６】  （Ａ）および（Ｂ）は、緊結金物の係合部材の一変形例を示す係合部材近傍の斜視図および縦断面図である。
【図７】  本発明の緊結金物の変形例を示す斜視図である。
【図８】  （Ａ）および（Ｂ）は本発明の緊結金物の変形例を示す正面図である。
【図９】  （Ａ）は従来の緊結金物（梁金物）を用いた、梁と屋根部材との緊結構造を示す斜視図であり、（Ｂ）はその緊結金物付近の断面図である。
【符号の説明】
１０  固定部材
１８，４０，４２  係合部材
２０  腕部
２２  抱持部材
２４  底辺部
２６  梁
２８，４６，８０  緊結金物
３０  屋根芯材
３８  案内部
４４  接着面
【図１】
0003703882.tif 000002
【図２】
0003703882.tif 000003
【図３】
0003703882.tif 000004
【図４】
0003703882.tif 000005
【図５】
0003703882.tif 000006
【図６】
0003703882.tif 000007
【図７】
0003703882.tif 000008
【図８】
0003703882.tif 000009
【図９】
0003703882.tif 000010